(57)【要約】      （修正有）【課題】支持部材及び配線箇所に対する湿気対策を施した照明器具を提供。【解決手段】防湿型の支持部材６と、支持部材６に格納した光源８と、支持部材６から突出する発光部７ｂを有する導光部材７とを備え、支持部材６と導光部材７の間を水封した防湿型照明装置４を高湿度室の施工壁部３に取付け、支持部材６は、室内２ａに露出して導光部材７を突出させる表部分６ｃと施工壁部３の貫通孔３ａへ挿通して室外２ｂに露出する裏部分６ｄを耐湿性の素材で一体形成して、表部分６ｃに導光部材用の挿入部６ｅを除いて湿度の浸入する恐れのある箇所を形成することなく耐湿性を確保させ、表部分６ｃと裏部分６ｄの境界に形成した環状の当接面部６ｆをパッキン９を介して施工壁部３に気密状に当接させ、光源格納用空間部６ａを裏部分に開口させて光源用配線１０を光源格納用空間部３ａの開口部から室外２ｂへ延長させた。【選択図】図１
2012084254.tif 000002
【特許請求の範囲】
【請求項１】
防湿型の支持部材と、支持部材の光源格納用空間部に格納した光源と、支持部材に挿着して光源の光を入光する入光部及び支持部材から突出する発光部を有する導光部材とを備え、支持部材と導光部材の間を水封した防湿型照明装置を高湿度室の施工壁部に取付けた高湿度室用照明装置において、支持部材は、室内に露出して導光部材を突出させる表部分と施工壁部の貫通孔へ挿通して室外に露出する裏部分を耐湿性の素材で一体形成して、表部分に導光部材用の挿入部を除いて湿度の浸入する恐れのある箇所を形成することなく耐湿性を確保させ、表部分と裏部分の境界に形成した環状の当接面部をパッキンを介して施工壁部に気密状に当接させ、光源格納用空間部を裏部分に開口させて光源用配線を光源格納用空間部の開口部から室外へ延長させたことを特徴とする高湿度室用照明装置。
【請求項２】
支持部材の光源格納用空間部を形成する壁部と光源の間に伝熱部材を介在させると共に、光源格納用空間部の開口部を覆う放熱キャップを支持部の裏部分に装着させた請求項１記載の高湿度室用照明装置。
【請求項３】
支持部材から高湿度室の施工壁部に沿って突出する導光部材の突出端側を施工壁部に取付けた支持具で支持した請求項１又は２記載の高湿度室用照明装置。
【請求項４】
支持部材の表部分に別の導光部材を挿着するための挿入部を設けて前記支持具を兼用した請求項３記載の高湿度室用照明装置。
【発明の詳細な説明】
【技術分野】
【０００１】
本発明は、防湿型照明装置を高湿度室の施工壁部に取付けた高湿度室用照明装置に関するものである。
【背景技術】
【０００２】
特許文献１に記載の従来の高湿度室用照明装置は、防湿型照明装置を高湿度室の施工壁部に取付けたものであって、防湿型照明装置が、防湿型の器具本体である支持部材と、支持部材の光源格納用空間部に格納した光源と、支持部材に挿入して光源の光を入光する入光部及び支持部材から突出する発光部を有する導光部材とを備え、支持部材と導光部材の間を水封してある。
【先行技術文献】
【特許文献】
【０００３】
【特許文献１】特開平９−２５９６３３号公報
【発明の概要】
【発明が解決しようとする課題】
【０００４】
ところで、従来の防湿型照明装置は、器具本体である支持部材を、開口した箱状部及び箱状部に取着して箱状部の開口部をパッキンを介して覆う蓋状部で構成してあるため、蓋状部の取着に不具合があると、室内から光源格納空間部に湿気が浸入して光源に漏電等を問題を招くことがある。また、従来の防湿型照明装置は、その全体を室内に配置してあるため、高湿度室の施工壁部の貫通孔へ光源用配線を挿通させて施工するときには、室内から貫通孔を介して室外へ湿気が漏れ、室外で結露等の問題を招くことがある。
【０００５】
本発明は、上記問題を解決するための湿気対策を施した高湿度室用照明装置の提供を目的とする。
【課題を解決するための手段】
【０００６】
支持部材及び配線箇所に対する湿気対策を十分に施すことができるようにするために請求項１記載の本発明が採用した手段は、防湿型の支持部材と、支持部材の光源格納用空間部に格納した光源と、支持部材に挿着して光源の光を入光する入光部及び支持部材から突出する発光部を有する導光部材とを備え、支持部材と導光部材の間を水封した防湿型照明装置を高湿度室の施工壁部に取付けた高湿度室用照明装置において、支持部材は、室内に露出して導光部材を突出させる表部分と施工壁部の貫通孔へ挿通して室外に露出する裏部分を耐湿性の素材で一体形成して、表部分に導光部材用の挿入部を除いて湿度の浸入する恐れのある箇所を形成することなく耐湿性を確保させ、表部分と裏部分の境界に形成した環状の当接面部をパッキンを介して施工壁部に気密状に当接させ、光源格納用空間部を裏部分に開口させて光源用配線を光源格納用空間部の開口部から室外へ延長させたことを特徴とする高湿度室用照明装置である。
【０００７】
請求項１記載の本発明にあっては、支持部材の室内に露出する表部分と室外に露出する裏部分を耐湿性の素材で一体形成して、表部分に導光部材の挿入部を除いて湿度の浸入する恐れのある箇所を形成することなく耐湿性を確保させると共に、表部分と裏部分の境界に形成した環状の当接面部を施工壁部にパッキンを介して当接させて気密状態を確保させてあるので、室内から支持部材の光源格納用空間部に湿気を浸入させないようにすることができ、また光源用配線が裏部分に開口した光源格納用空間部の開口部から室外へ延長させてあるので、室内から室外へ湿気を漏らす配線箇所も存在しない。
【０００８】
光源格納用空間部への塵等の浸入を阻止させると共に、光源からの発熱を室外へ円滑に放散させるために請求項２記載の本発明が採用した手段は、支持部材の光源格納用空間部を形成する壁部と光源の間に伝熱部材を介在させると共に、光源格納用空間部の開口部を覆う放熱キャップを支持部の裏部分に装着させた請求項１記載の高湿度室用照明装置である。
【０００９】
請求項２記載の本発明にあっては、放熱キャップで光源格納用空間部への塵等の浸入を阻止することができ、また、光源から伝熱部材及び支持部材の壁部を介して放熱キャップへ至る第１の伝熱経路と光源から光源格納用空間部の空間を介して放熱キャップへ至る第２の伝熱経路が形成されることで、光源の発熱を両方の伝熱経路で放熱キャップへ伝熱させて室外へ放熱させることができる。
【００１０】
支持部材から突出する導光部材の安定を図るために請求項３記載の本発明が採用した手段は、支持部材から高湿度室の施工壁部に沿って突出する導光部材の突出端側を施工壁部に取付けた支持具で支持した請求項１又は２記載の高湿度室用照明装置である。
【００１１】
請求項３記載の本発明にあっては、導光部材の両端側を支持部材と支持具で支持することができる。
【００１２】
一個の防湿型照明装置で二個の導光部材を列状に支持できるようにするために請求項４記載の本発明が採用した手段は、支持部材の表部分に別の導光部材を挿着するための挿入部を設けて前記支持具を兼用した請求項３記載の高湿度室用照明装置である。
【００１３】
請求項４記載の本発明にあっては、支持部材が別の導光部材を支持する支持具を兼用することがてきる。
【発明の効果】
【００１４】
請求項１記載の本発明に係る高湿度室用照明装置（以下、「本発明照明装置」という。）は、室内から支持部材の内部に湿気を浸入させないようにすると共に、配線箇所を介して室内から室外へ湿気を漏らすことがないようにすることで、支持部材及び配線箇所に対する湿気対策を十分に施すことができる。
【００１５】
請求項２記載の本発明照明装置は、放熱キャップで光源格納用凹部への塵等の浸入を阻止すると共に、光源からの発熱を放熱キャップを介して室外へ円滑に放散させることができる。
【００１６】
請求項３記載の本発明照明装置は、導光部材の両端側を支持部材と支持具で支持することで、支持部材から突出する導光部材の安定を図ることができる。
【００１７】
請求項４記載の本発明照明装置は、支持部材が別の導光部材を支持する支持具を兼用することで、一個の防湿型照明装置で二個の導光部材を列状に支持できる。
【図面の簡単な説明】
【００１８】
【図１】本発明照明装置の第１の実施の形態を示すものであって、図（Ａ）は中間省略した正面図、図（Ｂ）は中間省略して断面した正面図、図（Ｃ）は要部を断面した斜視図である。
【図２】第１の実施の形態を示すものであって、図（Ａ）は中間省略した平面図、図（Ｂ）は中間省略した底面図である。
【図３】図１（Ａ）のＣ３−Ｃ３線で断面して拡大したものであって、導光部材７を挿着する前の状態の左側面図である。
【図４】第１の実施の形態の各部分を分解して示す断面した正面図である。
【図５】本発明照明装置の第２の実施の形態を示す中間省略した正面図である。
【図６】本発明照明装置の第３の実施の形態を示す中間省略した正面図である。
【図７】本発明照明装置の第４の実施の形態を示すものであって、図（Ａ）は中間省略した底面図、図（Ｂ）は要部を拡大して断面したものであって、導光部材７を挿着する前の状態の左側面図である。
【図８】本発明照明装置の第５の実施の形態を示すものであって、図（Ａ）は断面した正面図、図（Ｂ）は底面図、図（Ｃ）は各部分を分解して示す断面した正面図である。
【発明を実施するための形態】
【００１９】
（第１の実施の形態）
図１乃至図４に示す第１の実施の形態に係る本発明照明装置１は、浴室、浴室に隣接する脱衣室、洗面室又は厨房室等の湿度が高くなる高湿度室２を構築する立上げ壁部や天井部等の施工壁部３に取付けた支持部材６、支持部材６の光源格納用空間部６ａに格納した光源８及び支持部材６から突出する導光部材７からなる防湿型照明装置４と、施工壁部３に取付けた支持具５とを備え、支持部材６から施工壁部３に沿って突出する導光部材７の突出端側７ｃを支持具５で支持したものである。
【００２０】
前記支持部材６は、室内２ａに露出して導光部材７を突出させる表部分６ｃと施工壁部３の貫通孔３ａへ挿通して室外２ｂに露出する裏部分６ｄとを耐湿性の素材で一体形成して、表部分６ｃに導光部材７用の挿入部６ｅを除いて湿度の浸入する恐れのある箇所を形成することなく耐湿性を確保してある。耐湿性の素材としては、合成樹脂素材（例えば、ＰＰＳ）や金属素材（例えば、アルミニウム合金やマグネシウム合金）等が選択され、一体成形する方法としては、合成樹脂素材を用いる射出成型や金属素材を用いるダイカスト等が選択される。また前記支持部材６は、表部分６ｃと裏部分６ｄの境界に形成した環状の当接面部６ｆを施工壁部３に湿気を遮断するように環状パッキン９を介して気密状に当接させ、貫通孔３ａを介して湿気が室内２ａから室外２ｂへ流出しないようにしてある。更に支持部材６は、光源格納用空間部６ａを裏部分６ｄに開口させ、光源用配線１０を光源格納用空間部６ａの開口部６ａ’から室外２ｂへ延長させるようにしてある。そして支持部材６は、表部分６ｃにおける当接面部６ｆの近辺から耳状又は環状（図示略）の接合片６ｇを突設させ、接合片６ｇを施工壁部３にビス止め１７して取付け固定してある。
【００２１】
前記光源８は、放熱性の良好な配線基板１２に接合した発光ダイオード（ＬＥＤ）からなり、支持部材６の光源格納用空間部６ａに配線基板１２と共に格納され、光源格納用空間部６ａを形成する壁部６ｂと配線基板１２の間に伝熱部材１４を介在させてある。光源８は、光源格納用空間部６ａの開口部６ａ’から伝熱部材１４と共に挿入した配線基板１２を壁部６ｂにビス止め１５することで固定されている。配線基板１２に接合した光源８及び伝熱部材１４を格納した光源格納用空間部６ａは、その開口部６ａ’が支持部６の裏部分６ｄに装着した放熱キャップ１６で覆われ、塵等の浸入を阻止してある。放熱キャップ１６は、配線基板１２をビス止め１５するために支持部材６の裏部分６ｄに穿設したビス取付孔６ｈを覆い、光源格納用空間部６ａへの塵等の浸入を阻止してある。放熱キャップ１６は、支持部６の裏部分６ｄに外嵌装着した後にビス止め１９して、脱落しないようにしてある。前記支持部材６は、光源８の発光で生じた熱を放熱するための伝熱経路として、配線基板１２，伝熱部材１４及び支持部材６の壁部６ｂを介して放熱キャップ１６へ至る第１の伝熱経路と、光源格納用空間部６ａの内部空間を介して放熱キャップ１６へ至る第２の伝熱経路とが形成され、両方の伝熱経路で伝熱させて放熱キャップ１６から室外２ｂへ放熱することで、光源８の異常昇温を阻止して光源８を損傷させないようにしてある。
【００２２】
前記導光部材７は、アクリル樹脂やポリカーボネート樹脂等の素材から丸棒状又は板状等に成形され、支持部材６の表部分６ｃに形成されている挿入部６ｅに挿着して光源８の光を入光する入光部７ａ及び支持部材６から突出する発光部７ｂを有する。導光部材７は、入光部７ａに外嵌したシールリング１１で支持部材６との間を水封して、挿入部６ｅを介して室内２ａから光源格納用空間部６ａへ湿気が流入するのを阻止するようにしてある。導光部材７は、支持部材６の表部分６ｃに取付けたセットビス１８（図１（Ａ）、図２参照）で止め付けられ、抜け止めしてある。導光部材７は、光源８が発した光を入光部７ａの端面で入射させると共に発光部７ｂの内部を反射させながら広がらせ、発光部７ｂの表面から室内２ａへ向かって放射させて室内２ａを照明する。導光部材７は、施工壁部３と対面する表面側に反射部（図示略）を設けて、施工壁部３へ放射する光量を少なくして室内２ａへ放射する光量が多くなるように構成することもある。
【００２３】
前記導光部材７の突出端側７ｃを支持する支持具５は、本例では前記支持部材６を利用しており、光源８を格納しない支持部材６の挿入部６ｅに導光部材７の突出端側７ｃを挿着してある。導光部材７は、その両端側が支持部材６及び支持具５で安定よく支持されることになる。
【００２４】
なお、本発明照明装置１は、図示は省略したが、支持部材６から突出する導光部材７の発光部７ｂが短い寸法のときには、支持部材６に導光部材７を片持ち状態で支持させて支持具５を省略することもある。
【００２５】
本発明照明装置１は、室内２ａに露出する支持部材６の表部分６ｃと室外２ｂに露出する支持部材６の裏部分６ｄを耐湿性の樹脂や金属等の素材で一体形成して、表部分６ｃに導光部材７用の挿入部６ｅを除いて湿度の浸入する恐れのある箇所を形成することなく耐湿性を確保させると共に、表部分６ｃと裏部分６ｄの境界に形成した環状の当接面部６ｆを施工壁部３に環状パッキン９を介して当接させて気密状態を確保させてあるので、室内２ａから支持部材６の光源格納用空間部６ａに湿気を浸入させないようにすることができ、また光源用配線１０が裏部分２ｄに開口した光源格納用空間部６ａの開口部６ａ’から室外２ｂへ延長させてあるので、室内２ａから室外２ｂへ湿気を漏らす配線箇所も存在しないことから施工壁部の室外側で結露等の問題を生じさせることもない。
【００２６】
本発明照明装置１は、発光ダイオード（ＬＥＤ）を採用した光源８について長期間にわたって保守を必要としないことから、導光部材７の露出する発光部７ｂに付着た汚れを定期的に除去するだけでよいことになり保守が非常に楽である。
【００２７】
（第２の実施の形態）
図５に示す第２の実施の形態に係る本発明照明装置２１は、支持部材６−２と導光部材７の間を水封する構造が第１の実施の形態に係る本発明照明装置１（図１乃至図４参照）と相違し、その他の部分については第１の実施の形態と実質的に同一であり、図５において図１乃至図４と同一符号は相当部分を示す。
【００２８】
本発明照明装置２１の防湿型照明装置４−２を構成する支持部材６−２は、導光部材７のための挿入部６ｅと光源格納用空間部６ａの間に配置した透光性の仕切壁２２を支持部材６へ接着する等して水封することで、挿入部６ｅを介して室内２ａから光源格納用空間部６ａへ湿気を浸入させないようにしてある。なお、支持部材６−２を透光性で耐湿性の合成樹脂素材で形成するときには、支持部材６−２と仕切壁２２を射出成型等で一体成形して、支持部材６−２の表面側を塗装等で着色することも可能である。
【００２９】
（第３の実施の形態）
図６に示す第３の実施の形態に係る本発明照明装置３１は、両側の支持部材６と支持具５の間に複数本の導光部材７を発光させるために、二本の導光部材７，７を一列状に挿着できる支持部材６−３を中間に備えたことが第１の実施の形態に係る本発明照明装置１（図１乃至図４参照）と相違し、その他の部分については第１の実施の形態と実質的に同一であり、図６において図１乃至図４と同一符号は相当部分を示す。
【００３０】
中間に配置した防湿型照明装置４−２は、施工壁部３に取付けた支持部材６−３、支持部材６−３の光源格納用空間部６ａに格納した光源８及び支持部材６−３の両側から突出する導光部材７，７からなる。支持部材６−３は、表部分６ｃの両側に各導光部材７を挿着するための挿入部６ｅ及び挿入部６ｊを同一中心線上に設けてある。本例では、図中右側の支持部材６、中間の支持部材６−３及び図中左側の支持具５を一列状に備え、二本の導光部材７，７を一列状に配置してある。中間の支持部材６−３は、挿入部６ｊと光源格納用空間部６ａの間に表部分６ｃと一体成型した仕切壁６ｋを設け、挿入部６ｊから光源格納用空間部６ａへ湿気を浸入させないようにしてある。
【００３１】
なお、本発明照明装置３１は、図示は省略したが、両側の支持部材６と支持具５の間に複数個の支持部材６−３を一列状に配設して、三本以上の導光部材７を一列状に配置するように構成することも可能である。
【００３２】
（第４の実施の形態）
図７に示す第４の実施の形態に係る本発明照明装置４１は、光量を増大させるために、支持部材６−４と支持具５−４の間に二個の導光部材７，７を並列状に設けたことが第１の実施の形態に係る本発明照明装置１（図１乃至図４参照）と相違し、その他の部分については第１の実施の形態と実質的に同一であり、図７において図１乃至図４と同一符号は相当部分を示す。
【００３３】
本発明照明装置４１の防湿型照明装置４−４を構成する支持部材６−４は、表部分６ｃに二個の導光部材７，７を個別に挿着するための挿入部６ｅ，６ｅを形成すると共に、光源格納用空間部６ａに二組の光源８を格納してある。また、支持具５−４は、二組の光源８を格納しない支持部材６−４を利用し、挿入部６ｅ，６ｅに各導光部材７の突出端側７ｃを挿着してある。二本の導光部材７，７は、その両端側が支持部材６−４及び支持具５−４で安定よく支持されることになる。
【００３４】
なお、支持部材６−４は、三個以上の導光部材７を個別に挿着するために三つ以上の挿入部６ｅを形成すると共に、光源格納用空間部６ａに三組以上の光源８を格納するように構成することもある。                                                                
【００３５】
本発明照明装置４１は、図示は省略したが、支持部材６−４から突出する導光部材７，７の発光部７ｂ，７ｂが短い寸法のときには、支持部材６−４に導光部材７，７を片持ち状態で支持させて支持具５−４を省略するとよい。
【００３６】
（第５の実施の形態）
図８に示す第５の実施の形態に係る本発明照明装置５１は、支持部材６−５から施工壁部３と交差する方向へ向かって導光部材７−５を突設させたことが第１の実施の形態に係る本発明照明装置１（図１乃至図４参照）と相違し、その他の部分については第１の実施の形態と実質的に同一であり、図８において図１乃至図４と同一符号は相当部分を示す。本発明照明装置５１は、本例では天井部からなる施工壁部３に支持部材６−５を取付け、支持部材６−５から中心線が鉛直下方方向となるように導光部材７−５を突設させてあるが、これに限定するものではなく、立上げ壁部を構成する施工壁部３に支持部材６−５を取付け、支持部材６−５から中心線が水平方向となるように導光部材７−５を突設させることも可能である。立上げ壁部を構成する施工壁部３に支持部材６−５を取付け態様の場合には、図（Ａ）及び図（Ｃ）は平面図となり、図（Ｂ）は正面図となる。
【００３７】
防湿型照明装置４−５を構成する導光部材７−５は、支持部材６−５の挿入部６ｅへ挿着して光源８の光を入光する丸棒状の入光部７ａと、入光部７ａの室内へ突出した端側から放射状に突出する傘状の発光部７ｂとを有し、入光部７ａに設けた雄螺子部７ｄを支持部材６−５の挿入部６ｅに設けた雌螺子部６ｍへ螺着脱自在に接合してある。支持部材６−５に対する導光部材７−５の取付けは、螺着脱自在に接合する以外に図示は省略したが、支持部材６−５に接着剤で接合することや、支持部材６−５に設けたセットビスで抜け出ないように固定する態様もある。
【符号の説明】
【００３８】
１（２１，３１，４１，５１）…本発明照明装置、２…高湿度室、２ａ…室内、２ｂ…室外、３…施工壁部、３ａ…貫通孔、４（４−２，４−３，４−４，４−５）…防湿型照明装置、５…支持具、６（６−２，６−３，６−４，６−５）…支持部材、６ａ…光源格納用空間部、６ａ’…開口部、６ｂ…壁部、６ｃ…表部分、６ｄ…裏部分、６ｅ…挿入部、６ｆ…当接面部、６ｇ…接合片、６ｈ…ビス取付孔、６ｊ…別の導光部材用の挿入部、６ｋ…仕切壁、６ｍ…雌螺子部、７…導光部材、７ａ…入光部、７ｂ…発光部、７ｃ…突出端側、７ｄ…雄螺子部、８…光源、９…環状パッキン、１０…光源用配線、１１…シールリング、１２…配線基板、１４…伝熱部材、１５…ビス止め、１６…放熱キャップ、１７…ビス止め、１８…セットビス、１９…ビス止め、２２…仕切壁
【図１】
2012084254.tif 000003
【図２】
2012084254.tif 000004
【図３】
2012084254.tif 000005
【図４】
2012084254.tif 000006
【図５】
2012084254.tif 000007
【図６】
2012084254.tif 000008
【図７】
2012084254.tif 000009
【図８】
2012084254.tif 000010